【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
アドレス情報、リードイン領域、ユーザ領域、上書き用スペア領域及びリードアウト領域を有することを特徴とする追記型記録媒体。
【請求項２】
前記上書き用スペア領域には前記ユーザ領域のアドレス単位の情報と前記上書き用スペア領域のアドレス単位の情報とを対応付けるアドレス対応情報を有することを特徴とする請求項１記載の記録媒体。
【請求項３】
前記リードイン領域には前記上書き用スペア領域に有する前記アドレス対応情報の位置情報を有することを特徴とする請求項２記載の記録媒体。
【請求項４】
前記ユーザ領域のアドレス単位の情報と前記上書き用スペア領域のアドレス単位の情報とを対応付けるアドレス対応情報を有することを特徴とする請求項１記載の記録媒体。
【請求項５】
前記上書き用スペア領域には前記アドレス対応情報を有することを特徴とする請求項４記載の記録媒体。
【請求項６】
前記アドレス対応情報は、前記上書き用スペア領域のアドレス単位の情報の一部を特定する情報を含むことを特徴とする請求項４記載の記録媒体。
【請求項７】
前記アドレス対応情報は、前記上書き用スペア領域のアドレス単位の情報がディフェクトである情報を含むことを特徴とする請求項４記載の記録媒体。
【請求項８】
アドレス情報、リードイン領域、ユーザ領域、スペア領域及びリードアウト領域を有し、前記リードイン領域には前記ユーザ領域のアドレス単位の情報と前記スペア領域のアドレス単位の情報とを対応付けるアドレス対応情報を有し、更に、前記リードイン領域には前記ユーザ領域の前記アドレス単位の情報の一部と前記スペア領域の前記アドレス単位の情報の一部とを対応付けるアドレス部分対応情報を有する記録媒体。
【請求項９】
アドレス情報、リードイン領域、ユーザ領域、スペア領域及びリードアウト領域を有し、前記リードイン領域には前記ユーザ領域のアドレス単位の情報と前記スペア領域のアドレス単位の情報とを対応付けるアドレス対応情報を有し、更に、前記リードイン領域には前記スペア領域のアドレス単位の情報についてディフェクトの有無を示す情報を有する記録媒体。
【請求項１０】
アドレス情報、リードイン領域、ユーザ領域、スペア領域及びリードアウト領域を有する追記型記録媒体の記録装置であって、
前記ユーザ領域のアドレス単位の情報と前記スペア領域のアドレス単位の情報との関係はアドレス対応情報によって管理され、上位装置からのユーザ情報の記録要求に対し、記録要求されたアドレスが記録済である場合にも、ユーザ情報を記録した後、記録したユーザ情報を再生、ディフェクトとして判断して、記録要求されたユーザ情報をスペア領域の未記録領域に記録し、アドレス対応情報を更新することを特徴とする追記型記録媒体の記録装置。
【請求項１１】
アドレス情報、リードイン領域、ユーザ領域、スペア領域及びリードアウト領域を有する追記型記録媒体の記録装置であって、
前記ユーザ領域のアドレス単位の情報と前記スペア領域のアドレス単位の情報との関係はアドレス対応情報によって管理され、上位装置からのユーザ情報の記録要求に対し、記録要求されたアドレスが記録済であるか否かを、再生信号を用いて判断し、記録済であると判断した場合には記録要求されたユーザ情報をスペア領域の未記録領域に記録し、アドレス対応情報を更新することを特徴とする追記型記録媒体の記録装置。
【請求項１２】
アドレス情報、リードイン領域、ユーザ領域、スペア領域及びリードアウト領域を有する追記型記録媒体の記録装置であって、
前記ユーザ領域は記録状態管理情報によって記録済アドレスが管理され、前記ユーザ領域のアドレス単位の情報と前記スペア領域のアドレス単位の情報との関係はアドレス対応情報によって管理され、上位装置からのユーザ情報の記録要求に対し、記録状態管理情報から記録要求されたアドレスが記録済であることが検出された場合、リアルタイムに記録する必要があるユーザ情報の記録要求であるときには上位装置にエラーを送信し、リアルタイムに記録する必要がないユーザ情報の記録要求であるときには記録要求されたユーザ情報をスペア領域の未記録領域に記録し、アドレス対応情報を更新することを特徴とする追記型記録媒体の記録装置。
【請求項１３】
前記スペア領域と前記ユーザ領域との関係を示す前記アドレス対応情報は、前記アドレス対応情報を構成するデータを用いて並び替え、前後に並ぶ２つ以上のアドレス対応情報の内、前に並ぶアドレス対応情報に含まれるユーザ領域内のアドレスとスペア領域内のアドレスと、後ろに並ぶアドレス対応情報に含まれるユーザ領域内のアドレスとスペア領域内のアドレスとを比較して、１つのアドレス対応情報にすることを特徴とする請求項１２記載の追記型記録媒体の記録装置。
【請求項１４】
前記スペア領域と前記ユーザ領域との関係を示す前記アドレス対応情報は、前記アドレス対応情報を構成するデータを用いて並び替え、前後に並ぶ２つ以上のアドレス対応情報の内、既存のアドレス対応情報に含まれるユーザ領域内のアドレスと、追加されたアドレス対応情報に含まれるユーザ領域内のアドレスとを比較して、既存のアドレス対応情報に含まれるユーザ領域内のアドレスが追加されたアドレス対応情報に含まれるユーザ領域内のアドレスの一部を含む場合には既存のアドレス対応情報から追加されたアドレス対応情報に含まれるユーザ領域内のアドレスに関する情報を除くように既存のアドレス対応情報を更新することを特徴とする請求項１２記載の追記型記録媒体の記録装置。
【請求項１５】
アドレス情報、リードイン領域、ユーザ領域、スペア領域、上書き用スペア領域及びリードアウト領域を有する追記型記録媒体の記録装置にであって、
前記ユーザ領域及び前記上書き用スペア領域は記録状態管理情報によって記録済アドレスが管理され、前記ユーザ領域のアドレス単位の情報と前記上書き用スペア領域のアドレス単位の情報との関係はアドレス対応情報によって管理され、上位装置からのユーザ情報の記録要求に対し、記録状態管理情報から記録要求されたアドレスが記録済であることが検出された場合、記録要求されたユーザ情報を記録状態管理情報から検出された上書き用スペア領域の未記録領域に記録し、アドレス対応情報を更新することを特徴とする追記型記録媒体の記録装置。
【請求項１６】
前記ユーザ領域と上前記書き用スペア領域との関係を示す前記アドレス対応情報は、前記アドレス対応情報を構成するデータを用いて並び替え、前後に並ぶ２つ以上のアドレス対応情報の内、前に並ぶアドレス対応情報に含まれるユーザ領域内のアドレスと上書き用スペア領域内のアドレスと、後ろに並ぶアドレス対応情報に含まれるユーザ領域内のアドレスと上書き用スペア領域内のアドレスとを比較して１つのアドレス対応情報にすることを特徴とする請求項１５記載の追記型記録媒体の記録装置。
【請求項１７】
前記ユーザ領域と前記上書き用スペア領域との関係を示す前記アドレス対応情報は、前記アドレス対応情報を構成するデータを用いて並び替え、前後に並ぶ２つ以上のアドレス対応情報の内、既存のアドレス対応情報に含まれるユーザ領域内のアドレスと追加されたアドレス対応情報に含まれるユーザ領域内のアドレスとを比較して、既存のアドレス対応情報に含まれるユーザ領域内のアドレスが追加されたアドレス対応情報に含まれるユーザ領域内のアドレスの一部を含む場合には、既存のアドレス対応情報から追加されたアドレス対応情報に含まれるユーザ領域内のアドレスに関する情報を除くように既存のアドレス対応情報を更新することを特徴とする請求項１５記載の追記型記録媒体の記録装置。
【請求項１８】
アドレス情報、リードイン領域、スペア領域、ユーザ領域、上書き用スペア領域及びリードアウト領域を有する記録媒体の再生装置において、
前記ユーザ領域のアドレス単位の情報と前記上書き用スペア領域のアドレス単位の情報との関係はアドレス対応情報によって管理され、上位装置からのユーザ情報の再生要求に対し、再生要求されたユーザ領域内のアドレスがアドレス対応情報に含まれ、アドレス対応情報から対応する上書き用スペア領域内のアドレスが検出可能である場合には、その上書き用スペア領域内のアドレスに記録されたユーザ情報を再生することを特徴とする再生装置。
【請求項１９】
アドレス情報、リードイン領域、ユーザ領域及びリードアウト領域を有する追記型記録媒体の記録装置であって、
前記ユーザ領域は記録状態管理情報によって記録済アドレスが管理され、前記ユーザ領域のアドレス情報とその交替先のアドレス情報とが、アドレス対応情報によって管理され、上位装置からのユーザ情報の記録要求に対し、記録状態管理情報から記録要求されたアドレスが記録済であることが検出された場合、リアルタイムに記録する必要があるユーザ情報の記録要求であるときには上位装置にエラーを送信し、リアルタイムに記録する必要がないユーザ情報の記録要求であるときには記録要求されたユーザ情報を未記録領域に交替記録し、アドレス対応情報を更新することを特徴とする追記型記録媒体の記録装置。
【手続補正２】
【補正対象書類名】明細書
【補正対象項目名】００１７
【補正方法】変更
【補正の内容】
【００１７】
（１）アドレス情報、リードイン領域、ユーザ領域、上書き用スペア領域及びリードアウト領域を有することを特徴とする追記型記録媒体。
（２）アドレス情報、リードイン領域、ユーザ領域、スペア領域及びリードアウト領域を有し、前記リードイン領域には前記ユーザ領域のアドレス単位の情報と前記スペア領域のアドレス単位の情報とを対応付けるアドレス対応情報を有し、更に、前記リードイン領域には前記ユーザ領域の前記アドレス単位の情報の一部と前記スペア領域の前記アドレス単位の情報の一部とを対応付けるアドレス部分対応情報を有する記録媒体。
（３）アドレス情報、リードイン領域、ユーザ領域、スペア領域及びリードアウト領域を有し、前記リードイン領域には前記ユーザ領域のアドレス単位の情報と前記スペア領域のアドレス単位の情報とを対応付けるアドレス対応情報を有し、更に、前記リードイン領域には前記スペア領域のアドレス単位の情報についてディフェクトの有無を示す情報を有する記録媒体。
（４）アドレス情報、リードイン領域、ユーザ領域、スペア領域及びリードアウト領域を有する追記型記録媒体の記録装置であって、前記ユーザ領域のアドレス単位の情報と前記スペア領域のアドレス単位の情報との関係はアドレス対応情報によって管理され、上位装置からのユーザ情報の記録要求に対し、記録要求されたアドレスが記録済である場合にも、ユーザ情報を記録した後、記録したユーザ情報を再生、ディフェクトとして判断して、記録要求されたユーザ情報をスペア領域の未記録領域に記録し、アドレス対応情報を更新することを特徴とする追記型記録媒体の記録装置。
（５）アドレス情報、リードイン領域、ユーザ領域、スペア領域及びリードアウト領域を有する追記型記録媒体の記録装置であって、
前記ユーザ領域のアドレス単位の情報と前記スペア領域のアドレス単位の情報との関係はアドレス対応情報によって管理され、上位装置からのユーザ情報の記録要求に対し、記録要求されたアドレスが記録済であるか否かを、再生信号を用いて判断し、記録済であると判断した場合には記録要求されたユーザ情報をスペア領域の未記録領域に記録し、アドレス対応情報を更新することを特徴とする追記型記録媒体の記録装置。
（６）アドレス情報、リードイン領域、ユーザ領域、スペア領域及びリードアウト領域を有する追記型記録媒体の記録装置であって、前記ユーザ領域は記録状態管理情報によって記録済アドレスが管理され、前記ユーザ領域のアドレス単位の情報と前記スペア領域のアドレス単位の情報との関係はアドレス対応情報によって管理され、上位装置からのユーザ情報の記録要求に対し、記録状態管理情報から記録要求されたアドレスが記録済であることが検出された場合、リアルタイムに記録する必要があるユーザ情報の記録要求であるときには上位装置にエラーを送信し、リアルタイムに記録する必要がないユーザ情報の記録要求であるときには記録要求されたユーザ情報をスペア領域の未記録領域に記録し、アドレス対応情報を更新することを特徴とする追記型記録媒体の記録装置。
（７）アドレス情報、リードイン領域、ユーザ領域、スペア領域、上書き用スペア領域及びリードアウト領域を有する追記型記録媒体の記録装置にであって、前記ユーザ領域及び前記上書き用スペア領域は記録状態管理情報によって記録済アドレスが管理され、前記ユーザ領域のアドレス単位の情報と前記上書き用スペア領域のアドレス単位の情報との関係はアドレス対応情報によって管理され、上位装置からのユーザ情報の記録要求に対し、記録状態管理情報から記録要求されたアドレスが記録済であることが検出された場合、記録要求されたユーザ情報を記録状態管理情報から検出された上書き用スペア領域の未記録領域に記録し、アドレス対応情報を更新することを特徴とする追記型記録媒体の記録装置。
（８）アドレス情報、リードイン領域、スペア領域、ユーザ領域、上書き用スペア領域及びリードアウト領域を有する記録媒体の再生装置において、前記ユーザ領域のアドレス単位の情報と前記上書き用スペア領域のアドレス単位の情報との関係はアドレス対応情報によって管理され、上位装置からのユーザ情報の再生要求に対し、再生要求されたユーザ領域内のアドレスがアドレス対応情報に含まれ、アドレス対応情報から対応する上書き用スペア領域内のアドレスが検出可能である場合には、その上書き用スペア領域内のアドレスに記録されたユーザ情報を再生することを特徴とする再生装置。
（９）アドレス情報、リードイン領域、ユーザ領域及びリードアウト領域を有する追記型記録媒体の記録装置であって、前記ユーザ領域は記録状態管理情報によって記録済アドレスが管理され、前記ユーザ領域のアドレス情報とその交替先のアドレス情報とが、アドレス対応情報によって管理され、上位装置からのユーザ情報の記録要求に対し、記録状態管理情報から記録要求されたアドレスが記録済であることが検出された場合、リアルタイムに記録する必要があるユーザ情報の記録要求であるときには上位装置にエラーを送信し、リアルタイムに記録する必要がないユーザ情報の記録要求であるときには記録要求されたユーザ情報を未記録領域に交替記録し、アドレス対応情報を更新することを特徴とする追記型記録媒体の記録装置。